(57)【特許請求の範囲】
【請求項１】
吸引された空気中の放射性ダストを捕集媒体上に捕集する集塵部と、捕集された放射性ダストからの放射線を検出する検出部と、捕集媒体を集塵部および検出部に送る媒体供給機構と、集塵部、検出部および媒体供給機構を収容する第１筐体と、を含む第１ユニットと、
空気を吸引して捕集媒体を通過する気流を生成する送気ポンプと、送気ポンプに電力を供給するための電源装置と、送気ポンプおよび電源装置を収容する第２筐体と、を含む第２ユニットと、
を有し、
第１ユニットと第２ユニットは着脱可能である、
放射性ダスト監視装置。
【請求項２】
請求項１に記載の放射性ダスト監視装置であって、
第１筐体は、第１ユニットの１つの軸線方向に対して傾いた斜面を有し、
第１ユニットは、前記軸線方向を縦にし、かつ前記斜面が前方上方を向いた縦配置と、前記軸線方向を横にし、かつ前記斜面が前方上方を向いた横配置にて第２ユニット上に装着することができ、
第１ユニットは、前記斜面に配置された操作パネルを有する、
放射性ダスト監視装置。
【請求項３】
請求項２に記載の放射性ダスト監視装置であって、
第１筐体は、第１ユニットを縦配置したときに、前記斜面の前側に、第１ユニットの前記軸線方向に直交する平面が設けられている、
放射性ダスト監視装置。
【発明の詳細な説明】
【技術分野】
【０００１】
本発明は、空気中のダストに含まれる放射性物質の放射線量を測定し、放射線レベルの監視を行う放射性ダスト監視装置に関する。
【背景技術】
【０００２】
監視対象の空間の空気を吸入して空気中のダストを捕集し、捕集されたダストから放射される放射線を測定して放射線レベルの監視を行う放射性ダスト監視装置が知られている。下記特許文献１には、ダストモニタベース（１，１ａ）と、ダストモニタベース（１，１ａ）上に取り付けられているフレーム（２）とに囲まれた空間に、ポンプ（３）、塵埃捕集部（４）、放射線検出部（５）および放射線計測部（６）を備えたダストモニタが示されている。なお、（  ）内の符号は、下記特許文献１で用いられた符号であり、本願の実施形態の説明で用いられている符号とは関連しない。
【先行技術文献】
【特許文献】
【０００３】
【特許文献１】特開２００１−３０５２３０号公報
【発明の概要】
【発明が解決しようとする課題】
【０００４】
放射性ダスト監視装置（ダストモニタ）において、放射線検出部は外部からの放射線を遮蔽する鉛製の遮蔽材を有し、また空気を吸引するポンプ、ポンプに電力を供給するための電源装置を含み、総重量が重く、運搬が難しい。
【０００５】
本発明は、運搬が容易な放射性ダスト監視装置を提供することを目的とする。
【課題を解決するための手段】
【０００６】
本発明に係る放射性ダスト監視装置は、互いに着脱可能な第１ユニットと第２ユニットを含む。第１ユニットは、吸引された空気中の放射性ダストを捕集媒体上に捕集する集塵部と、捕集された放射性ダストからの放射線を検出する検出部と、捕集媒体を集塵部および検出部に送る媒体供給機構とを含み、これら集塵部、検出部、媒体供給機構を収容する第１筐体を更に含む。第２ユニットは、空気を吸引して捕集媒体を通過する気流を生成する送気ポンプと、送気ポンプに電力を供給するための電源装置とを含み、これら送気ポンプおよび電源装置を収容する第２筐体を更に含む。
【０００７】
第１ユニットと第２ユニットが着脱可能であることによって、２個のユニットを別個に運搬することができる。１個当たりの重量は小さくなり、一体として運搬するよりも容易に運ぶことができる。
【０００８】
第１筐体は、第１ユニットの１つの軸線方向に対して傾いた斜面を有するものとでき、さらに、第１ユニットは、前記軸線方向を縦にし、かつ前記斜面が前方上方を向いた縦配置と、前記軸線方向を横にし、かつ前記斜面が前方上方を向いた横配置にて第２ユニット上に装着することができる。さらに、第１ユニットは、前記斜面に配置された操作パネルを有するものとできる。
【０００９】
第１ユニットを縦配置したときも、横配置したときも操作パネルが前方上方を向くことにより、いずれの配置においても操作性が良好となる。
【００１０】
第１筐体は、第１ユニットを縦配置したときに、前記斜面の前側に、第１ユニットの軸線方向に直交する平面を有するものとすることができる。
【発明の効果】
【００１１】
放射性ダスト監視装置を着脱可能な２個のユニットから構成することにより、運搬が容易になる。
【図面の簡単な説明】
【００１２】
【図１】本発明の実施形態の放射性ダスト監視装置１０の外観を示す図、特に第１ユニット１２を縦配置した態様を示す図である。
【図２】放射性ダスト監視装置１０の外観を示す図、特に第１ユニット１２を横配置した態様を示す図である。
【図３】第２ユニット１４を単独で示す図である。
【図４】第１ユニット１２の内部を見えるようにした正面図である。
【発明を実施するための形態】
【００１３】
以下、本発明の実施形態を図面に従って説明する。図１〜３は、本実施形態の放射性ダスト監視装置１０の外観を示す斜視図である。放射性ダスト監視装置１０は、第１ユニット１２および第２ユニット１４の２個のユニットを含む。図１は、第１ユニット１２を縦にした状態で第２ユニット１４の上に重ねて配置した状態を示す。図２は、第１ユニット１２を横にした状態で第２ユニット１４の上に重ねて配置した状態を示す図である。図３は、第２ユニット１４を単独で示す図である。また、以降の説明において、図中の矢印Ｘの向きを前、その反対の向きを後、矢印Ｙの向きを右、その反対の向きを左、矢印Ｚの向きを上、その反対の向きを下と記す。図１に示す第１ユニット１２の配置を縦配置、図２に示す第１ユニットの配置を横配置と記す。第１ユニット１２を縦配置とした場合でも、横配置とした場合でも操作者は、前側（矢印Ｘの向く側）に位置して各種の通常操作および作業を行う。
【００１４】
第１ユニット１２は、直方体と台形柱を組み合わせた外形を有する。図１に示すように第１ユニット１２は、直方体の上に横倒しとなった台形柱を載せた形状となっている。この長方形の各辺、または３つの軸線がＸ、Ｙ、Ｚの方向に一致している。図１において、第１ユニット１２は、前後、左右、上下に延びる軸線のうち、上下の軸線が最も長くこの方向を長手方向Ｌと記す。すなわち、長手方向Ｌを縦にして配置した状態が第１ユニット１２の縦配置であり、長手方向Ｌを横にして配置した状態が第１ユニット１２の横配置である。以下の説明において、特段の断りがない限り、第１ユニット１２を縦配置した状態に基づき説明する。
【００１５】
第１ユニット１２は、内部に後述の機能部および機構を収容した第１筐体１６を有し、この第１筐体１６が第１ユニット１２の外形を規定する。第１筐体１６は、前面に第１ユニット扉１８を有する。この放射性ダスト監視装置１０においては、第１ユニット扉１８は、第１ユニット１２の直方体の部分の前面全体に対応して設けられ、左辺にヒンジを備えた片開きの扉である。第１ユニット扉１８は、他の形態であってよく、例えば前面の一部に対応して設けられてもよく、右ヒンジの片開き扉、さらには両開きであってもよい。
【００１６】
第１ユニット１２の台形柱の部分は、直方体の部分の上面の後方に寄せて配置されている。台形柱状の部分は、直方体の部分の後面に連続する後面を有し、これらの後面と共に１つの平面を形成している。また、台形柱の前方に向く面は、長手方向Ｌに対して傾いた斜面２０であり、この傾きによって斜めの上方を向いている。斜面２０の長手方向Ｌに対する傾斜角は、例えば４５°である。斜面２０の下端は、第１ユニット１２上面の前後方向のほぼ中央に位置し、この下端より前方は、長手方向Ｌに直交する平面となっている。
【００１７】
斜面２０には、操作パネル２２が配置される。操作パネル２２は、この放射性ダスト監視装置１０ではタッチパネルディスプレイで構成され、表示部と操作部が一体となっている。操作パネル２２の操作・表示面は、斜面２０と同一平面内、または平行な面内に配置され、斜面２０と同様、前方上方を向いている。
【００１８】
第１ユニット１２の左右の側面には、それぞれ２個ずつの取っ手２４が設けられている。２個の取っ手２４は、上下に離れて設けられ、個々の取っ手２４は鉛直に配置されている。取っ手２４は、第１ユニット１２を横配置したときに、その握り部が水平方向に延びる。つまり、第１ユニット１２を人が持って運搬する際は、横配置の姿勢で運搬されることが想定されている。また、１つの側面に設けられた２個の取っ手２４は、離れているため、一方のみを持とうとすると、第１ユニット１２の横配置の姿勢が維持できない。このため、第１ユニット１２を運搬する際は、２人が両手で取っ手２４を持って運搬することが促される。
【００１９】
第２ユニット１４は、直方体の形状を有し、第１ユニット１２を縦配置したときの下面と同一の形状の上面、下面を有する。したがって、第１ユニット１２を縦配置して第２ユニット１４上に重ねたとき、放射性ダスト監視装置１０は全体として四角柱の形状を有する。第２ユニット１４は、内部に後述の機能部を収容した第２筐体２６を有し、この第２筐体２６が第２ユニット１４の外形を規定する。第２筐体２６は、前面に第２ユニット扉２８を有する。この放射性ダスト監視装置１０においては、第２ユニット扉２８は、第２ユニット１４の直方体の部分の前面全体に対応して設けられ、左辺にヒンジを備えた片開きの扉である。第２ユニット扉２８は、他の形態であってもよい。
【００２０】
第２筐体２６の側面の上部には、前後方向のほぼ中央に取っ手３０が設けられている。取っ手３０の実際に握られる部分は、水平方向に延びるように配置される。また、第２筐体２６は、上面に設けられた上板３２を有する。上板３２は、第２ユニット１４上に第１ユニット１２が置かれたとき、第１ユニット１２と第２ユニット１４の間の電磁ノイズの遮蔽板として機能する。
【００２１】
図４は、第１ユニット１２を縦配置した状態で第１ユニット扉１８を取り去り、第１ユニット１２の内部を見えるようにした正面図である。第１ユニット１２内には、空気中の放射性ダストをろ紙３４上に捕集し、捕集された放射性ダストからの放射線を検出する集塵・検出部３６と、集塵・検出部３６にろ紙３４を送り、使用済みのろ紙３４を回収するろ紙供給機構３８が収容されている。また、第２ユニット１４内には、集塵・検出部３６を通過する気流を生成する送気ポンプ４０と送気ポンプ４０に電力を供給する電源装置４２が収容されている。この放射性ダスト監視装置１０においては、長尺のろ紙３４が放射性ダストを捕集する捕集媒体として機能する。
【００２２】
集塵・検出部３６は、ろ紙３４を上下から挟む集塵筒４４と集塵ヘッド４６を含む。集塵筒４４は監視対象の空間と管（不図示）により連通された内部空間を有する。集塵ヘッド４６は、管４８を介して送気ポンプ４０に連通される内部空間を有する。集塵筒４４と集塵ヘッド４６によりろ紙３４を挟むことにより、集塵筒４４と集塵ヘッド４６のそれぞれの内部空間がろ紙３４を介して外部から封止された状態で連通される。この状態で、送気ポンプ４０によって吸引を行うことにより、監視対象空間の空気をろ紙３４によりろ過することができる。この過程で放射性ダストはろ紙３４に捕集される。集塵筒４４内には、放射線検出器（不図示）が配置され、捕集された放射性ダストからの放射線を検出する。
【００２３】
ろ紙供給機構３８は、長尺のろ紙３４を繰り出す側の繰り出しロール軸５０と、ろ紙３４を巻き取る側の巻き取りロール軸５２を有する。繰り出しロール軸５０には、使用前のろ紙３４のロールが装着され、巻き取りロール軸５２には、使用後のろ紙３４が巻き取られロールが形成される。ろ紙供給機構３８は、ろ紙３４を送る送りローラ５４およびろ紙３４を案内する複数のガイドローラ５６を有する。
【００２４】
送気ポンプ４０は、送気流量を所定値とするために直流モータを備える。電源装置４２は、交流電力を直流電力に変換する機能を有する。
【００２５】
監視動作について説明する。まず、集塵筒４４と集塵ヘッド４６でろ紙３４を挟み、この状態で所定時間の集塵を行い、所定時間経過後に放射線レベルの測定を行う。その後、集塵筒４４と集塵ヘッド４６を離してろ紙３４を解放し、送りローラ５４を駆動してろ紙３４を送る。ろ紙３４を所定量送ったら、再び集塵筒４４と集塵ヘッド４６によりろ紙３４の新たな部分を挟持して、集塵および測定を行う。これを繰り返して放射線の監視を行う。ろ紙３４を交換する際には、第１ユニット扉１８を開いて、ろ紙供給機構３８にアクセスする。
【００２６】
前述のように、縦配置した第１ユニット１２を第２ユニット１４上に載置したときには、放射性ダスト監視装置１０は全体として四角柱の形状を有する。第１ユニット１２を横配置して第２ユニット１４に重ねるときは、縦配置したときの後面を下面として第２ユニット１４上に載置する。このとき、第１ユニット１２の前端は、第２ユニット１４の前面よりも手前に突出する。第１ユニット１２を縦配置とした場合も横配置した場合も、操作パネル２２は、前方上方を向き、操作者に対面する。縦配置と横配置において操作パネル２２は、上下が逆転するため、操作パネル２２またはその表示は１８０°回転可能とすることが好ましい。表示を回転させるために、これを指令するキーを操作パネル２２に設けて（表示して）もよく、重力の方向を検知して自動的に回転するようにしてもよい。
【００２７】
第１ユニット１２を第２ユニット１４上に縦配置した態様では、設置スペースが小さく、また、操作者が立った状態での操作が容易となる。また、第１ユニット１２を第２ユニット１４上に横配置した態様では、操作パネル２２の位置が低くなるので、操作者が座った状態で操作が容易となる。さらには、第１ユニット１２と第２ユニット１４を離して配置することもできる。第２ユニット１４に収納された送気ポンプ４０は、騒音源となるので、第２ユニット１４を離して設置することにより、操作者に聞こえる騒音を低減することができる。
【００２８】
放射性ダストを捕集する媒体として、長尺のろ紙に替えて、シート上のろ紙を使用してもよい。また、活性炭等の吸着材を含むカートリッジを使用してもよい。
【符号の説明】
【００２９】
１０  放射性ダスト監視装置、１２  第１ユニット、１４  第２ユニット、１６  第１筐体、１８  第１ユニット扉、２０  斜面、２２  操作パネル、２４  取っ手、２６  第２筐体、２８  第２ユニット扉、３０  取っ手、３２  上板、３４  ろ紙、３６  集塵・検出部、３８  ろ紙供給機構、４０  送気ポンプ、４２  電源装置、４４  集塵筒、４６  集塵ヘッド、４８  管、５０  繰り出しロール軸、５２  巻き取りロール軸、５４  送りローラ、５６  ガイドローラ。
【図１】
0006560130.tif 000002
【図２】
0006560130.tif 000003
【図３】
0006560130.tif 000004
【図４】
0006560130.tif 000005